(57)【特許請求の範囲】
【請求項１】
複数世帯の居住に対応し電力供給装置（１３）を備える住宅（１）において電力供給を制御する電力制御部（２０２）と、
前記住宅の電力情報を端末装置に表示させる表示制御部（２０３）と、を備え、
前記表示制御部は、
前記電力供給装置から供給される電力の値を予め定められた比率に基づいて分割し、該分割した電力の値を世帯毎に前記端末装置に表示させ、
前記電力供給装置から供給される電力の値が前記比率に基づいて変更される複数の世帯には、予め管理者権限が与えられている第１世帯と、前記管理者権限が与えられていない第２世帯とが含まれ、
前記第１世帯に対応する端末装置の入力操作に基づいて前記比率を変更し、前記第２世帯に対応する端末装置の入力操作に基づく前記比率の変更を禁止する、住宅の電力管理システム。
【請求項２】
前記表示制御部は、前記複数世帯のそれぞれの電力の消費実績に基づいて前記比率を変更する、請求項１に記載の住宅の電力管理システム。
【請求項３】
前記表示制御部は、所定期間における前記複数世帯のそれぞれの消費電力の積算値に基づいて前記比率を変更する、請求項２に記載の住宅の電力管理システム。
【請求項４】
前記表示制御部は、所定期間における消費電力の積算値が大きい世帯に、該積算値が小さい世帯に比べて大きな電力を供給するように前記比率を変更する、請求項３に記載の住宅の電力管理システム。
【請求項５】
前記表示制御部は、前記複数世帯のそれぞれに湯水を供給する給湯装置の所定期間における消費電力に基づいて前記比率を変更する、請求項３に記載の住宅の電力管理システム。
【発明の詳細な説明】
【技術分野】
【０００１】
本発明は、住宅の電力管理システムに関する。
【背景技術】
【０００２】
住宅で消費される電力を管理するシステムとして、特許文献１に記載のものが知られている。当該システムは、主幹ブレーカと、複数の分岐ブレーカと、分岐電流検出部と、メモリと、演算部と、制御部とを備えている。
【０００３】
複数の分岐ブレーカは、主幹ブレーカの二次側から分岐して機器に電力を供給する分岐電路に各々設けられている。分岐電流検出部は、各分岐ブレーカを介して機器に供給される電流値を分岐ブレーカ毎に計測する。メモリには、それぞれの分岐ブレーカ毎に電力供給先の機器に対応した力率情報が記憶されている。演算部は、分岐電流検出部により検出される電流値と、メモリに記憶された力率情報に基づいて分岐ブレーカ毎の電力量を演算する。制御部は、演算部により演算された分岐ブレーカ毎の電力量を表す電力情報を生成し、生成された電力情報を端末装置に送信する。端末装置は、制御部から送信される電力情報を表示する。
【０００４】
このように構成された特許文献１記載のシステムでは、端末装置に電力情報を表示させることにより、住宅の居住者に省エネルギを促すことができる。例えば、住宅に設置された機器において比較的多くの電力を消費している場合は、居住者に電力情報を確認させることにより、当該機器の使用を控えさせ、電力事業者から購入する電力を可能な限り減らす行動を促すことができる（以下、このような居住者の行動を、単に「省エネ行動」とも称する）。
【先行技術文献】
【特許文献】
【０００５】
【特許文献１】特許第４５３５０５２号公報
【発明の概要】
【発明が解決しようとする課題】
【０００６】
機器で消費されている電力のほかにも、住宅に備えられている電力供給装置から供給される電力を端末装置に表示させるシステムの検討も進められている。当該システムでは、太陽光発電装置、蓄電装置や、バッテリを有する車両等の、住宅に備えられている電力供給装置から住宅に供給される電力を電力情報として表示する。また、蓄電装置やバッテリの充電を行う際には、太陽光発電装置から蓄電装置やバッテリに供給される電力が電力情報として表示される。
【０００７】
ところで、近年、住宅の居住態様は多様化している。つまり、家族関係がある２つの世帯が居住する「２世帯住宅」のみならず、家族関係が無い複数の世帯が居住する「シェアハウス」や、住宅内の空室を家族ではない者に賃貸する、等の様々な居住態様がみられるようになっている。
【０００８】
前述した太陽光発電装置、蓄電装置や、バッテリを有する車両等の電力供給装置は、各住宅に多くとも１つ備えられることが一般的である。複数の世帯が居住する住宅では、このように１つしかない供給源から供給される電力に対して、自らの省エネ行動が十分なものであるか否かを居住者が確認できないおそれがあった。この場合、電力情報を表示しても、それが居住者の省エネ行動に繋がらない懸念がある。
【０００９】
本発明はこのような課題に鑑みてなされたものであり、その目的は、複数世帯の居住に対応する住宅において、各世帯の居住者に省エネ行動を促すことが可能な住宅の電力管理システムを提供することにある。
【課題を解決するための手段】
【００１０】
上記課題を解決するために、本発明に係る住宅の電力管理システムは、複数世帯の居住に対応し電力供給装置（１３）を備える住宅（１）において電力供給を制御する電力制御部（２０２）と、住宅の電力情報を端末装置に表示させる表示制御部（２０３）と、を備える。表示制御部は、電力供給装置から供給される電力の値を予め定められた比率に基づいて分割し、該分割した電力の値を世帯毎に端末装置に表示させる。電力供給装置から供給される電力の値が比率に基づいて変更される複数の世帯には、予め管理者権限が与えられている第１世帯と、管理者権限が与えられていない第２世帯とが含まれる。表示制御部は、第１世帯に対応する端末装置の入力操作に基づいて比率を変更し、第２世帯に対応する端末装置の入力操作に基づく比率の変更を禁止する。
【００１１】
上記構成によれば、住宅に居住する各世帯は、端末装置の表示に基づいて、電力供給装置から供給され分割された電力の値を確認することができる。つまり、電力供給装置から住宅に供給される総ての電力を、自世帯だけで消費できると居住者が認識してしまうことを抑制できる。この結果、各世帯の居住者に省エネ行動を促すことが可能になる。
【発明の効果】
【００１２】
本発明によれば、複数世帯の居住に対応する住宅において、各世帯の居住者に省エネ行動を促すことが可能な住宅の電力管理システムを提供することができる。
【図面の簡単な説明】
【００１３】
【図１】実施形態に係る住宅を示すブロック図である。
【図２】端末装置を示す斜視図である。
【図３】端末装置に表示されるログイン画面を示す図である。
【図４】端末装置に表示される第１世帯用の画面を示す図である。
【図５】端末装置に表示される第２世帯用の画面を示す図である。
【図６】端末装置に表示される発電分配比率を示す図である。
【発明を実施するための形態】
【００１４】
以下、住宅の電力管理システムの一実施形態について説明する。本実施形態の住宅は、第１世帯Ｈ１に属する居住者と、第２世帯Ｈ２に属する居住者とが生活する、いわゆる２世帯住宅である。
【００１５】
図１に示されるように、本実施形態の住宅１には、分電盤１０ａ，１０ｂと、メータ１１と、給湯装置１２１，１２２と、太陽光発電装置１３と、ＰＣＳ（Power Conditioning System）１４と、を備えている。
【００１６】
太陽光発電装置１３は、住宅１の屋上に配置されている。太陽光発電装置１３は、不図示の太陽光パネルにより太陽光のエネルギを直流電力に変換することで直流電力を発生させる。太陽光発電装置１３が発生させた直流電力は、ＰＣＳ１４に供給される。
【００１７】
ＰＣＳ１４は、太陽光発電装置１３が発電させた直流電力を、住宅１で使用可能な交流電力に変換する。ＰＣＳ１４で変換された交流電力は分電盤１０ａに供給される。
【００１８】
分電盤１０ａは、電力系統３及びＰＣＳ１４から供給される交流電力を第１世帯Ｈ１の機器３０〜３３及び分電盤１０ｂに分配する。機器３０，３１は、第１世帯Ｈ１の部屋Ｒ１０に設置されている。機器３２，３３は、第１世帯Ｈ１の部屋Ｒ１１に設置されている。機器３０〜３３は、分電盤１０ａからの電力の供給に基づき駆動する。分電盤１０ａは、機器３０〜３３の消費電力を検出する機能を有している。また、分電盤１０ａは、ＰＣＳ１４から供給される電力、すなわち太陽光発電装置１３の発電量を検出する機能も有している。
【００１９】
分電盤１０ｂは、分電盤１０ａから供給される交流電力を第２世帯Ｈ２の機器４０〜４３に分配する。機器４０，４１は、第２世帯Ｈ２の部屋Ｒ２０に設置されている。機器４２，４３は、第２世帯Ｈ２の部屋Ｒ２１に設置されている。機器４０〜４３は、分電盤１０ｂからの電力の供給に基づき駆動する。
【００２０】
メータ１１は、電力系統３から分電盤１０ａに至る電力線の途中に設けられている。メータ１１は、住宅１全体の消費電力を検出する。
【００２１】
給湯装置１２１，１２２は、ヒートポンプ式の構成を有しており、空気の熱を利用して温水を生成する。給湯装置１２１で生成される温水は第１世帯Ｈ１のみに供給され、給湯装置１２２で生成される温水は第２世帯Ｈ２のみに供給される。給湯装置１２１，１２２は、メータ１１から分電盤１０ａに至る電力線に接続されている。すなわち、給湯装置１２１，１２２には、電力系統３から直接電力が供給される。給湯装置１２１，１２２は、自身の消費電力を監視する機能を有している。
【００２２】
住宅１には、住宅１の電力状態を統括的に管理する電力管理システム２が設けられている。電力管理システム２は、ＨＥＭＳ（Home Energy Management System）装置２０と、無線ルータ２１と、端末装置２２，２３とを備えている。
【００２３】
ＨＥＭＳ装置２０は、分電盤１０ａ，１０ｂ、メータ１１、給湯装置１２１，１２２、第１世帯Ｈ１の機器３０，３２、及び第２世帯Ｈ２の機器４０，４２とローカルエリアネットワーク（ＬＡＮ）２５を介して通信可能に接続されている。ＨＥＭＳ装置２０は、分電盤１０ａ，１０ｂ、メータ１１、及び給湯装置１２１，１２２からＬＡＮ２５を介して各種電力情報を取得するとともに、取得した電力情報に基づいて住宅１の電力状態を管理する。
【００２４】
具体的には、ＨＥＭＳ装置２０は、記憶部２００と、管理部２０１と、電力制御部２０２と、表示制御部２０３と、を備えている。
【００２５】
管理部２０１は、住宅１の電力情報を管理している。管理部２０１は、例えば以下の（ａ１）〜（ａ９）に示される電力情報を取得している。
【００２６】
（ａ１）管理部２０１は、分電盤１０ａから機器３０〜３３の消費電力の情報を取得し、それらの総計により第１世帯Ｈ１の消費電力の情報を取得する。
（ａ２）管理部２０１は、分電盤１０ａから機器３０，３１の消費電力の情報を取得し、それらの総計により第１世帯Ｈ１の部屋Ｒ１０の消費電力の情報を取得する。
（ａ３）管理部２０１は、分電盤１０ａから機器３２，３３の消費電力の情報を取得し、それらの総計により第１世帯Ｈ１の部屋Ｒ１１の消費電力の情報を取得する。
（ａ４）管理部２０１は、分電盤１０ｂから機器４０〜４３の消費電力の情報を取得し、それらの総計により第２世帯Ｈ２の消費電力の情報を取得する。
（ａ５）管理部２０１は、分電盤１０ｂから機器４０，４１の消費電力の情報を取得し、それらの総計により第２世帯Ｈ２の部屋Ｒ２０の消費電力の情報を取得する。
（ａ６）管理部２０１は、分電盤１０ｂから機器４２，４３の消費電力の情報を取得し、それらの総計により第２世帯Ｈ２の部屋Ｒ２１の消費電力の情報を取得する。
（ａ７）管理部２０１は、分電盤１０ａから太陽光発電装置１３の発電量の情報を取得する。
（ａ８）管理部２０１は、メータ１１から住宅１全体の消費電力の情報を取得する。
（ａ９）管理部２０１は、給湯装置１２１，１２２からその消費電力の情報を取得する。
【００２７】
管理部２０１は、（ａ１）〜（ａ９）に示される電力情報を取得するとともに、取得した電力情報の現在の情報及び過去の情報を記憶部２００に記憶させている。記憶部２００は、半導体メモリ等の非遷移的実体的記録媒体である。
【００２８】
また、管理部２０１は、給湯装置１２１，１２２、及び機器３０，３２，４０，４２等の住宅１の機器の動作状態を管理している。具体的には、管理部２０１は、ＬＡＮ２５を介して給湯装置１２１，１２２、及び機器３０，３２，４０，４２と通信を行うことにより、それらが駆動及び停止のいずれの状態であるかを監視している。
【００２９】
電力制御部２０２は、住宅１内への電力供給を制御する。具体的には、電力制御部２０２は、太陽光発電装置１３において発生した電力と、住宅１の機器３０等で消費される電力と、のバランスに基づいて、電力供給の制御をおこなう。例えば、住宅１において消費される電力に対して、太陽光発電装置１３の電力供給装置から住宅１に供給される電力が不足している場合、電力制御部２０２は、電力系統３から電力の供給を受けるように制御する。また、住宅１において消費される電力に対して、太陽光発電装置１３の電力供給装置から住宅１に供給される電力が大きい場合は、電力制御部２０２は余剰の電力を電力事業者に販売するように制御する。
【００３０】
表示制御部２０３は、端末装置２２，２３における表示内容を制御する。具体的には、表示制御部２０３は、管理部２０１により管理されている住宅１の電力情報を端末装置２２，２３に表示させる。
【００３１】
無線ルータ２１は、端末装置２２，２３と無線通信可能に接続されている。また、無線ルータ２１は、住宅のＬＡＮ２５を介してＨＥＭＳ装置２０と通信可能に接続されている。無線ルータ２１は、端末装置２２，２３から無線送信される情報をＨＥＭＳ装置２０に送信する。また、無線ルータ２１は、ＨＥＭＳ装置２０から送信される情報を端末装置２２，２３に無線送信する。
【００３２】
端末装置２２，２３は、電力管理システム２専用の装置である。端末装置２２，２３は、マイクロコンピュータを中心に構成されており、無線ルータ２１と無線通信を行うための不図示の通信装置等を備えている。図２に示されるように、端末装置２２は、電力管理システム２に関する各種情報を表示するタッチパネル２２０を備えている。端末装置２２では、タッチパネル２２０に触れることにより入力操作を行うことも可能である。すなわち、タッチパネル２２０は、操作部としての機能も有している。
【００３３】
図１に示されるように、端末装置２２は、第１世帯Ｈ１の住人により使用される。端末装置２２は、タッチパネル２２０に対する操作情報を無線ルータ２１を介してＨＥＭＳ装置２０に無線送信する。
【００３４】
端末装置２３も、端末装置２２と同様の構成を有している。端末装置２３は、第２世帯Ｈ２の住人により使用される。
【００３５】
ＨＥＭＳ装置２０の表示制御部２０３は、端末装置２２，２３から送信される操作情報に基づいて住宅１の電力情報を端末装置２２，２３に送信することで、タッチパネル２２０に住宅１の電力情報を表示させる。
【００３６】
次に、図３乃至図６を参照しながら、表示制御部２０３が端末装置２２，２３に表示させる内容について説明する。なお、端末装置２２，２３のいずれが操作された場合でも表示制御部２０３により実行される処理は同一であるため、以下では、端末装置２２が操作された例を説明する。
【００３７】
表示制御部２０３は、まず、図３に示されるログイン画面Ｇ１を端末装置２２に表示させる。ログイン画面Ｇ１は、ＩＤ及びパスワードを入力する画面からなる。第１世帯Ｈ１及び第２世帯Ｈ２は、それぞれに予め与えられている固有のＩＤ及びパスワードをログイン画面Ｇ１で入力する。表示制御部２０３は、この固有のＩＤ及びパスワードに対応する電力情報を端末装置２２に表示させる。
【００３８】
図４は、第１世帯Ｈ１に与えられたＩＤ及びパスワードが図３のログイン画面Ｇ１で入力された場合に、表示制御部２０３が端末装置２２に表示させる電力情報画面Ｇ１０を示している。電力情報画面Ｇ１０は、表示項目として、「発電分配量」及び「機器消費量」を含んでいる。各表示項目の右側には、それぞれの各表示項目に対応する電力の値が表示されている。この値は、電力情報画面Ｇ１０を表示させているタイミングにおける瞬時値であり、状況とともに変化する。
【００３９】
「発電分配量」は、太陽光発電装置１３が発生させている電力のうち、第１世帯Ｈ１において消費することが妥当な電力の最大値を示している。この電力情報画面Ｇ１０は、太陽光発電装置１３が発電している電力のうち１．８ｋＷが、第１世帯Ｈ１において消費することが妥当なものの最大値であることを示している。
【００４０】
また、「機器消費量」は、第１世帯Ｈ１に備えられている機器３０〜３３において消費されている電力を示している。
【００４１】
第１世帯Ｈ１に属する居住者は、電力情報画面Ｇ１０を確認することにより、太陽光発電装置１３が発生させている電力のうち、１．８ｋＷが自世帯において消費することが妥当な電力の最大値であるとともに、自世帯の機器３０〜３３において２．０ｋＷの電力を消費していることを確認する。
【００４２】
また、第１世帯Ｈ１に属する居住者は、機器３０〜３３における電力の消費が自世帯の発電分配量よりも大きかったことから、０．２ｋＷ分の電力消費を抑制する省エネ行動を自身に求められていることを確認できる。
【００４３】
電力情報画面Ｇ１０には、「発電分配量」等の表示項目のほかにも、「発電分配比率変更」、「ログアウト」のそれぞれのアイコンＡ１１，Ａ１２が表示されている。このうち、「発電分配比率変更」のアイコンＡ１１は、予め管理者権限を与えられている第１世帯Ｈ１の電力情報画面Ｇ１０のみで表示される。
【００４４】
一方、図５は、図３のログイン画面Ｇ１において、第２世帯Ｈ２に与えられたＩＤ及びパスワードが入力された場合に、表示制御部２０３が端末装置２２に表示させる電力情報画面Ｇ１１を示している。電力情報画面Ｇ１１は、前述した第１世帯Ｈ１用の電力情報画面Ｇ１０と同様に、表示項目として、「発電分配量」及び「機器消費量」を含んでいる。各表示項目の詳細は、電力情報画面Ｇ１０に関して説明したものと同様である。各表示項目の右側に表示されている値も、電力情報画面Ｇ１１を表示させているタイミングにおける瞬時値であり、状況とともに変化する。
【００４５】
ここで、図５に示される電力情報画面Ｇ１１は、図４に示される電力情報画面Ｇ１０と同一タイミングにおけるものを表示している。つまり、電力情報画面Ｇ１０に示したように、第１世帯Ｈ１における発電分配量が１．８ｋＷであるタイミングにおいて、第２世帯Ｈ２における発電分配量は１．２ｋＷである。
【００４６】
当該タイミングにおいて、第１世帯Ｈ１、第２世帯Ｈ２の発電分配量の合計は３．０ｋＷである。このことから、太陽光発電装置１３が発生させた電力のうち、電力事業者に販売した分を除いたものの値が３．０ｋＷであり、当該３．０ｋＷ分の電力を住宅１に供給可能であることがわかる。また、前述した表示制御部２０３は、太陽光発電装置１３から住宅１に供給可能な３．０ｋＷの電力のうち、６０％に相当する１．８ｋＷ分の電力を第１世帯Ｈ１の発電分配量とし、４０％に相当する１．２ｋＷ分の電力を第２世帯Ｈ２の発電分配量としていることがわかる。
【００４７】
第２世帯Ｈ２に属する居住者は、電力情報画面Ｇ１１を確認することにより、太陽光発電装置１３が発生させている電力のうち、自世帯において消費することが妥当な電力の最大値が１．２ｋＷであることと、機器４０〜４３において１．０ｋＷの電力を消費していることを確認する。
【００４８】
また、第２世帯Ｈ２に属する居住者は、機器４０〜４３における電力の消費が、自世帯の発電分配量よりも小さかったことで、自身の省エネ行動が、電力消費を抑制する観点で妥当であることを確認できる。
【００４９】
電力情報画面Ｇ１０には、「発電分配量」等の表示項目のほかにも、「ログアウト」のそれぞれのアイコンＡ１３が表示されている。前述したように、第２世帯Ｈ２に属する居住者は管理者権限を与えられていないため、電力情報画面Ｇ１０の「発電分配比率変更」に相当するアイコンが表示されない。
【００５０】
管理者権限を与えられている第１世帯Ｈ１に属する居住者が、図４に示される「発電分配比率変更」アイコンＡ１１を選択すると、表示制御部２０３は、図６に示される電力情報画面Ｇ１２を端末装置２２に表示させる。電力情報画面Ｇ１２は、太陽光発電装置１３から供給する電力の値を、表示制御部２０３が第１世帯Ｈ１のものと第２世帯Ｈ２のものとに分割する際の比率を示すものである。
【００５１】
表示制御部２０３は、当該比率を、第１世帯Ｈ１及び第２世帯Ｈ２のそれぞれの電力の消費実績に基づいて変更する。詳細には、表示制御部２０３は、所定期間（例えば、１週間）における第１世帯Ｈ１及び第２世帯Ｈ２のそれぞれの消費電力の積算値に基づいて、当該比率を変更する。
【００５２】
図６に示される電力情報画面Ｇ１２は、太陽光発電装置１３から供給する電力のうち、６０％の電力が第１世帯Ｈ１の発電分配量とされ、残りの４０％の電力が第２世帯Ｈ２の発電分配量とされることを示している。これは、所定期間における第１世帯Ｈ１と第２世帯Ｈ２との消費電力の積算値の比率が６：４であったことに基づいて定められたものである。すなわち、表示制御部２０３は、所定期間における消費電力の積算値が大きかった第１世帯Ｈ１に、当該積算値が小さかった第２世帯Ｈ２に比べて大きな電力を供給するように、比率を変更する。
【００５３】
尚、所定期間における第１世帯Ｈ１及び第２世帯Ｈ２のそれぞれの消費電力として、当該所定期間における給湯装置１２１，１２２の消費電力を用いることができる。すなわち、第１世帯Ｈ１の消費電力の代表値として、第１世帯Ｈ１のみに湯水を供給する給湯装置１２１の消費電力を用いるとともに、第２世帯Ｈ２の消費電力の代表値として、第２世帯Ｈ２のみに湯水を供給する給湯装置１２２の消費電力を用いることができる。
【００５４】
給湯装置１２１，１２２がそれぞれ供給する湯水の量は、第１世帯Ｈ１、第２世帯Ｈ２のそれぞれに属する居住者の数と概ね比例する。そして、その供給する湯水の量は、給湯装置１２１，１２２のそれぞれの消費電力と概ね比例する。すなわち、所定期間における第１世帯Ｈ１及び第２世帯Ｈ２のそれぞれの消費電力として、当該所定期間における給湯装置１２１，１２２の消費電力を用いることにより、第１世帯Ｈ１、第２世帯Ｈ２のそれぞれに属する居住者の数の比に応じて、太陽光発電装置１３から供給する電力の値を分割する際の比率を変更することができる。
【００５５】
また、電力情報画面Ｇ１２には、図４に示される電力情報画面Ｇ１０に戻るための「ホーム」アイコンＡ１４や、変更用アイコンＡ１５が表示されている。管理者権限を与えられている第１世帯Ｈ１に属する居住者は、変更用アイコンＡ１５を入力操作することができる。表示制御部２０３は、第１世帯Ｈ１に属する居住者の入力操作に基づいて、比率を当該居住者が所望するものに変更する。
【００５６】
以上説明したように、電力管理システム２によれば、電力供給装置である太陽光発電装置１３から供給される電力は、住宅１に居住する第１世帯Ｈ１及び第２世帯Ｈ２に供給される。そして、太陽光発電装置１３から供給される電力の値が予め定められた比率に基づいて分割され、当該分割した電力の値が、端末装置２２，２３に世帯毎に表示される。
【００５７】
これにより、住宅１に居住する第１世帯Ｈ１及び第２世帯Ｈ２は、端末装置２２，２３の表示に基づいて、太陽光発電装置１３から供給され分割された電力の値を確認することができる。つまり、太陽光発電装置１３から住宅１に供給される総ての電力を、当該自世帯だけで消費できると居住者が認識してしまうことを抑制できる。この結果、各世帯の居住者に省エネ行動を促すことが可能になる。
【００５８】
また、表示制御部２０３は、電力の値を分割する際の比率を変更可能である。これにより、第１世帯Ｈ１と第２世帯Ｈ２との関係や、それぞれの電力の消費状況等に応じて、適切に電力の値を分割することが可能になる。
【００５９】
また、表示制御部２０３は、第１世帯Ｈ１及び第２世帯Ｈ２のうち予め定められた世帯の入力操作に基づいて比率を変更する。これにより、比率が不用意に変更され、電力の値の分割が不適切なものになってしまうことを抑制することが可能になる。
【００６０】
また、表示制御部２０３は、第１世帯Ｈ１及び第２世帯Ｈ２のそれぞれの電力の消費実績に基づいて比率を変更する。これにより、第１世帯Ｈ１及び第２世帯Ｈ２のそれぞれの電力消費の実態に応じて電力の値を分割することが可能になる。
【００６１】
また、表示制御部２０３は、所定期間における第１世帯Ｈ１及び第２世帯Ｈ２のそれぞれの消費電力の積算値に基づいて比率を変更する。これにより、突発的に電力を消費したことによるノイズの影響を抑制し、より第１世帯Ｈ１及び第２世帯Ｈ２のそれぞれの電力消費の実態に応じて電力の値を分割することが可能になる。
【００６２】
また、表示制御部２０３は、所定期間における消費電力の積算値が大きい世帯に、該積算値が小さい世帯に比べて大きな電力を供給するように比率を変更する。これにより、各世帯の消費電力の積算値の大きさに応じて電力の値を分割し、電力系統３から供給を受ける電力を抑制することが可能になる。
【００６３】
また、表示制御部２０３は、第１世帯Ｈ１及び第２世帯Ｈ２のそれぞれに湯水を供給する給湯装置１２１，１２２の所定期間における消費電力に基づいて比率を変更する。これにより、第１世帯Ｈ１及び第２世帯Ｈ２のそれぞれに属する居住者の数の比に応じて、電力の値を分割する際の比率を変更することが可能になる。
【００６４】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。前述した各具体例が備える各要素及びその配置などは、例示したものに限定されるわけではなく適宜変更することができる。
【符号の説明】
【００６５】
２：電力管理システム
１２１，１２２：給湯装置
１３：太陽光発電装置（電力供給装置）
２２，２３：端末装置
２０２：電力制御部
２０３：表示制御部
Ｈ１：第１世帯
Ｈ２：第２世帯
【図１】
0006613981.tif 000002
【図２】
0006613981.tif 000003
【図３】
0006613981.tif 000004
【図４】
0006613981.tif 000005
【図５】
0006613981.tif 000006
【図６】
0006613981.tif 000007